(57)【特許請求の範囲】
【請求項１】
天井下面に取付られる幕板とレンジフード上面との間の隙間に取付けられるレンジフード用高さ調整部材であって、前記高さ調整部材は、金属製の筐体であって、前記隙間に略合致する高さを有し、前記筐体上面と前記幕板下面との間が断熱性の連結部により連結され、前記連結部は、前記幕板の水平な底板を断熱材料で構成し、前記底板と高さ調整部材を金属製の前記連結部材で連結したことを特徴とするレンジフード用高さ調整部材。
【請求項２】
前記連結部は、前記幕板の水平な底板を断熱材料で構成し、前記底板と高さ調整部材を連結すべく平行な２面を取付部となす略コ字形に形成された金属製の連結部材で構成されて成る請求項１に記載のレンジフード用高さ調整部材。
【請求項３】
前記連結部は、前記幕板の水平な底板を断熱材料で構成し、前記筐体上面の一部から一体的に突設され、その上端部を所定位置より前方に折曲させて前記筐体の天板と平行な上面を前記幕板の底面に取付るように形成された取付片とで構成されて成る請求項１に記載のレンジフード用高さ調整部材。
【請求項４】
前記連結部は、前記幕板の底板を断熱材料で構成し、前記底板をコ字形に形成して前方に突出する水平な底片の上面に前記筐体の天板を支持した状態で取り付けるように構成されて成る請求項１に記載のレンジフード用高さ調整部材。
【発明の詳細な説明】
【０００１】
【発明の属する技術分野】
本発明は、レンジフード用高さ調整部材の改良に関する。
【０００２】
【従来の技術】
従来より、レンジフードは、流し台のガスコンロ直上に位置するように配置され、流し台の前面側の壁面又は側壁面に取付けられ、その両側又は片側には木製の吊り戸が隣接して熱遮断状態で取付けられている。
【０００３】
更に、このレンジフードの高さ方向の取付位置は、レンジフードの型式、構造、または建物の構造や流し台の構造によってそれぞれ天井からの位置関係が相違している。
【０００４】
すなわち、天井を基準とした場合、天井の下面に取付けられる幕板とレンジフードの天板との間には隙間が形成されるが、この隙間（高さ）は前述したように寸法が異なるため、その隙間の寸法に合わせて予め形成された金属製の高さ調整板が取付けられる。
【０００５】
図８の（ａ）は従来の高さ調整板が幕板とレンジフードとの間に取付けられた状態を示す正面図であり（ｂ）は（ａ）のＢ−Ｂ断面図である。
【０００６】
図において、０１は高さ調整板であって、この高さ調整板０１は、金属製の筐体で構成され、天井０２下面に取り付けられる木製の幕板０３とレンジフード０４の天板との間に形成される隙間に介装され、その両側は吊り戸０５ａ、０５ｂに図示しない断熱材を介して取り付けられている。
【０００７】
【発明が解決しようとする課題】
ところが、図８の（ａ）、（ｂ）に示されるように、高さ調整板０１は、金属板によって構成されるので、熱伝導性が高いため加熱されたレンジフード０４の熱が直接連結されている高さ調整板に伝達されると、更にこの熱が木製の幕板０３に伝達されて火災が誘発される危険性を有している。
【０００８】
そこで、従来は直接接続されていた幕板０３をレンジフード０１の天板から若干の間隔δを設けて取り付けるようにしていた。
【０００９】
しかしがら、このような隙間δを幅広に設けると正面からの見栄えが悪化する関係から、この隙間は十分な間隔とすることはできず、施工時において誤って接触させてしまう場合が有り、また高さ調整板０１の熱が幕板０３ないし天井０２に伝達されて加熱される危険性を確実に回避することはできなかった。
【００１０】
本発明はこのような問題点を解決するため、高さ調整部材が幕板に対し熱遮断状態で取付けられ、レンジフードで発生する熱の伝達が幕板や天井に対し確実に遮断することができ火災に対する安全性を得ることができるレンジフード用高さ調整部材の構造を提供することを目的としている。
【００１１】
【課題を解決するための手段】
上記目的を達成するために、本発明のレンジフード用高さ調整部材の構造は、天井下面に取付られる幕板とレンジフード上面との間の隙間に取付けられるレンジフード用高さ調整部材であって、前記高さ調整部材は、金属製の筐体であって、前記隙間に略合致する高さを有し、前記筐体上面と前記幕板下面との間が断熱性の連結部により連結され、前記連結部は、前記幕板の水平な底板を断熱材料で構成し、前記底板と高さ調整部材を金属製の前記連結部材で連結したことを特徴としている。この特徴によれば、筐体上面と前記幕板下面との間が高さ調整部材に断熱性の連結部を介して確実な熱遮断状態で連結されるので、幕板ないし天井が伝達熱によって加熱される危険性を回避することができる。また高さ調整部材と幕板とが連結部材によりその間隔を確保することができる。
【００１２】
本発明のレンジフード用高さ調整部材の構造は、連結部が、前記幕板の水平な底板を断熱材料で構成し、前記底板と高さ調整部材を連結すべく平行な２面を取付部となす略コ字形に形成された金属製の連結部材で構成されれば好適である。
このようにすることにより、幕板と高さ調整部材とが略コ字形に形成された連結部材によって間隙が形成されるばかりか、調整部材が幕板の断熱性を有する水平な底板に取付けられるので、熱の伝達を確実に遮断することができる。
【００１３】
本発明のレンジフード用高さ調整部材の構造は、連結部が、前記幕板の水平な底板を断熱材料で構成し、前記筐体上面の一部から一体的に突設され、その上端部を所定位置より前方に折曲させて前記筐体の天板と平行な上面を前記幕板の底面に取付るように形成された取付片とで構成されれば好適である。
このようにすることにより、連結部が筐体上面の一部から一体的に突設されるので、別部材で構成される場合に比し、取付ける手間を省略することができる。
【００１４】
本発明のレンジフード用高さ調整部材の構造は、連結部が、前記幕板の底板を断熱材料で構成し、前記底板をコ字形に形成して前方に突出する水平な底片の上面に前記筐体の天板を支持した状態で取り付けるように構成されれば好適である。
このようにすることにより、底板をコ字形に形成して前方に突出する水平な底片の上面に前記筐体の天板裏面が支持された状態で取り付けられるばかりか、奥行きの位置決めができるので、筐体の取付け作業を容易に行なうことができる。
【００１６】
【発明の実施の形態】
以下、本発明の実施例を図面に基づいて説明する。図１は本発明の第１実施形態としての高さ調整部材を取付けたレンジフードの側面図、図２は高さ調整部材の正面図、図３は図２のＡ−Ａ断面図であり、図４は高さ調整部材の背面図である。
【００１７】
図において、４は図示しない流し台のガスコンロの直上に取付けられるレンジフードであって、このレンジフード４は、ガスコンロの直上からはほぼ一定距離上方に取付けられるが、天井２からの距離はレンジフードの型式、構造、または建物の構造や流し台の構造によってそれぞれ天井からの位置関係が相違しており、その距離を調整するために天井２の下面に取付けられる木製（例えばラワン材）の幕板３とレンジフード４の天板４ａとの間に金属製の高さ調整部材１が取付けられる。
【００１８】
この高さ調整部材１は、金属製の筐体であって、隙間Ｈに略合致する高さを有し、筐体上面と幕板３下面との間が断熱性の連結部により熱遮断状態で連結されるように構成されている。
【００１９】
すなわち、幕板３は、図２〜図４に示すように天井２の下面に垂直に取付けられる細長状の板材３ａと、この板材３ａの下面に水平に取付けられる底板３ｂと、板材３ａと底板３ｂとが直角に交差して取付けられる内角部を補強する四角状の補強部材５とで構成される。ここで底板３ｂは、熱遮断可能な断熱材（例えばケイ酸カルシウム板）で構成されている。
【００２０】
さらに高さ調整部材１は、板材により後方が開放された矩形の筐体で構成され、前面板には複数の横長の通気孔Ｌが設けられ、筐体１の上面後端縁には例えば幅方向２箇所に連結部が設けられている。
【００２１】
連結部は、幕板３の断熱材料で構成された水平な底板３ｂと、該底板３ｂと高さ調整部材１を取り付けるべく平行な２面を取付部となす略コ字形に形成され、筐体の天板裏面に溶接等で固定された金属製の連結部材６とで構成されている。
【００２２】
次に、この高さ調整部材である筐体１の取り付け手順につき説明する。先ず、レンジフード４の背面が流し台前面の壁面Ｗに取り付けられる。
【００２３】
更に、レンジフード４前方の上部に対応する天井２下面には、幕板３が固定されており、レンジフード４が取り付けられた際に、このレンジフード４の天板４ａと幕板３底面との間には、高さ方向に隙間Ｈが形成される。
【００２４】
そこで、予め前記隙間Ｈに対応する高さ（連結部材を含む高さ）に合わせた筐体１が形成され、この筐体１がレンジフード４の天板４ａ上面に固定されると共に、この筐体１上面の連結部材６の上部取付面が幕板３底板３ｂの底面に図示しないネジにより固定される。
【００２５】
このようにすることにより、筐体１の上面と幕板３下面との隙間Ｈが高さ調整部材１に熱遮断状態で連結されるので、幕板３ないし天井２がレンジフード４からの伝達熱によって加熱される危険性を回避することができる。
【００２６】
また、幕板３と高さ調整部材１との間が略コ字形に形成された連結部材６によって間隙ｈが形成されるばかりか、調整部材１が幕板３の断熱性を有する水平な底板３ｂに取付けられるので、熱の伝達を確実に遮断することができる。
【００２７】
次に、本発明の第２実施形態につき説明する。図５は本発明の第２実施形態としての幕板との取付け関係を示す高さ調整部材の断面図である。尚、前述した構成部分と同一構成部分については、同一符号を付しその詳細な説明を省略する。
【００２８】
図５において、連結部は、幕板３の断熱材料で構成された水平な底板３ｂと、筐体１上面の幅方向の少なくとも２箇所から一体的に突設され、その上端部を所定位置より前方に折曲し筐体１の天板１ａと平行な上面を幕板３の底板３ｂに取付るように形成された取付片７とで構成されている。
【００２９】
そこで、隙間Ｈに高さ寸法（取付片を含む高さ）を合わせて形成された高さ調整部材としての筐体１の底面をレンジフード４の天板４ａ上面に取り付けると共に、幕板３の底板３ｂに筐体１と一体的に形成された取付片７をネジＢにより取り付ける。
【００３０】
このようにすることにより、連結部が筐体１上面の幅方向に突設される少なくとも２箇所から一体的に突設されるので、別部材で構成される場合に比し、取付ける手間を省略することができる。
【００３１】
次に、本発明の第３実施形態につき説明する。図６は本発明の第３実施形態としての幕板との取付け関係を示す高さ調整部材の断面図である。尚、前述した構成部分と同一構成部分については、同一符号を付しその詳細な説明を省略する。
【００３２】
図６において、連結部８は、幕板３の底板８を断熱材料で構成すると共に、該底板８をコ字形に形成して前方に突出した水平な底片８ａにより構成されている。
【００３３】
そこで、隙間Ｈに高さ寸法（取付片を含む高さ）を合わせて形成された高さ調整部材としての筐体１の天板１ａを、水平な底片８ａ上面に支持すると共に前記天板１ａの端縁を連結部としての底板８のコ字形に形成された折曲内壁に当接させて位置決めし、底片８ａの底面よりネジＢにより取り付ける。
【００３４】
このように底板８をコ字形に形成することにより、前方に突出する水平な底片８ａの上面に筐体１の天板１ａ裏面が支持された状態で取り付けられるばかりか、奥行きの位置決めができるので、筐体１の取付け作業を容易行なうことができる。
【００３５】
次に、本発明の第４実施形態につき説明する。図７は本発明の第４実施形態としての幕板との取付け関係を示す高さ調整部材の断面図である。尚、前述した構成部分と同一構成部分については、同一符号を付しその詳細な説明を省略する。
【００３６】
図７において、連結部９は、可燃材料で構成された幕板３の水平な底板３ｂと、底板３ｂの下面と筐体１の上面とを所定間隙ｈに保って連結すべく断熱材料で構成された所定長さのスペーサ９とで構成される。
【００３７】
そこで、筐体１は、幕板３の底板３ｂとレンジフード４天板上面とで形成される隙間Ｈからスペーサ９の高さｈを差し引いた高さに形成され、レンジフード４の天板４ａ上面に筐体１を取り付けた状態で、筐体１の天板１ａと幕板３ｂとの間に所定高さｈのスペーサ９を介装させて両側からネジＢにより固定する。
【００３８】
このようにすることにより、幕板３の底板３ｂと筐体１との間が断熱材料で構成されるスペーサ９によって間隙ｈが確保されるので、連結部材を単純構成にすることができると共に、熱の伝達を確実に遮断することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
【発明の効果】
本発明は次の効果を奏する。
【００４１】
（ａ）請求項１の発明によれば、筐体上面と前記幕板下面との間が高さ調整部材に断熱性の連結部を介して確実な熱遮断状態で連結されるので、幕板ないし天井が伝達熱によって加熱される危険性を回避することができる。また高さ調整部材と幕板とが連結部材によりその間隔を確保することができる。
【００４２】
（ｂ）請求項２の発明によれば、幕板と高さ調整部材とが略コ字形に形成された連結部材によって間隙が形成されるばかりか、調整部材が幕板の断熱性を有する水平な底板に取付けられるので、熱の伝達を確実に遮断することができる。
【００４３】
（ｃ）請求項３の発明によれば、連結部が筐体上面の一部から一体的に突設されるので、別部材で構成される場合に比し、取付ける手間を省略することができる。
【００４４】
（ｄ）請求項４の発明によれば、底板をコ字形に形成して前方に突出する水平な底片の上面に前記筐体の天板裏面が支持された状態で取り付けられるばかりか、奥行きの位置決めができるので、筐体の取付け作業を容易に行なうことができる。
【００４６】
【図面の簡単な説明】
【図１】本発明の本発明の第１実施形態としての高さ調整部材を取付けたレンジフードの側面図である。
【図２】高さ調整部材の正面図である。
【図３】図２のＡ−Ａ断面図である。
【図４】高さ調整部材の背面図である。
【図５】本発明の第２実施形態としての幕板との取付け関係を示す高さ調整部材の断面図である。
【図６】本発明の第３実施形態としての幕板との取付け関係を示す高さ調整部材の断面図である。
【図７】本発明の第４実施形態としての幕板との取付け関係を示す高さ調整部材の断面図である。
【図８】（ａ）は従来の高さ調整板が幕板とレンジフードとの間に取付けられた状態を示す正面図であり（ｂ）は（ａ）のＢ−Ｂ断面図である。
【符号の説明】
１                    筐体（高さ調整部材）
１ａ                  天板
２                    天井
３                    幕板
３ａ                  板材
３ｂ                  底板
４                    レンジフード
４ａ                  天板
５                    補強部材
６                    連結部材
７                    取付片
８                    底板
８ａ                  底片
９                    スペーサ
Ｂ                    ネジ
ｈ                    間隙
Ｈ                    隙間
【図１】
0004209504.tif 000002
【図２】
0004209504.tif 000003
【図３】
0004209504.tif 000004
【図４】
0004209504.tif 000005
【図５】
0004209504.tif 000006
【図６】
0004209504.tif 000007
【図７】
0004209504.tif 000008
【図８】
0004209504.tif 000009